(57)【要約】【課題】電池パックの体格の小型化。【解決手段】電池セル１１の電極端子１３に対して電気的に接続される第１導電部材３１と、電池状態を監視する電池監視ユニット２００を第１導電部材に対して電気的に接続させる第２導電部材３２と、これらの間に配置された回路保護部材３３と、第１導電部材と回路保護部材との間を電気的に接続させる第１電気接続構造体５０と、第２導電部材と回路保護部材との間を電気的に接続させる第２電気接続構造体６０と、回路保護部材並びに第１及び第２の電気接続構造体を収容する収容部材３４と、を備え、第１導電部材と第２導電部材と収容部材は、複数の電池セルの配列方向に沿い、かつ、複数の電池セルから成る集合体の壁面に沿う平面を基準平面とし、それぞれを基準平面に沿って並ばせ、かつ、それぞれの短手方向を基準平面に直交させるように配置すること。【選択図】図３
2018081877.tif 000002
【特許請求の範囲】
【請求項１】
配列された複数の電池セルの内の少なくとも１つを接続対象とし、その接続対象となる前記電池セルが有する２つの電極端子の内の１つに対して電気的に接続される第１導電部材と、
前記電池セルの電池状態を監視する電池監視ユニットの演算処理装置を前記第１導電部材に対して電気的に接続させる第２導電部材と、
前記第１導電部材の電気接続部に対して電気的に接続される第１電気接続部、前記第２導電部材の電気接続部に対して電気的に接続される第２電気接続部、及び、前記第１電気接続部と前記第２電気接続部との間に配置された可溶体を有する回路保護部材と、
前記第１導電部材と前記回路保護部材との間で前記第１導電部材の前記電気接続部と前記第１電気接続部とを電気的に接続させる第１電気接続構造体と、
前記第２導電部材と前記回路保護部材との間で前記第２導電部材の前記電気接続部と前記第２電気接続部とを電気的に接続させる第２電気接続構造体と、
前記回路保護部材並びに前記第１及び第２の電気接続構造体を収容する収容部材と、
を備え、
前記第１導電部材と前記第２導電部材と前記収容部材は、複数の前記電池セルの配列方向に沿い、かつ、複数の前記電池セルから成る集合体の壁面に沿う平面を基準平面とし、それぞれを前記基準平面に沿って並ばせ、かつ、それぞれの短手方向を前記基準平面に直交させるように配置することを特徴とした導電モジュール。
【請求項２】
前記回路保護部材は、前記第１電気接続部と前記第２電気接続部とが各々露出された状態で絶縁性の内包部材に前記可溶体を内包させた回路保護部品として設けられ、
前記収容部材は、前記回路保護部品が前記基準平面に沿って挿入されているように形成し、
前記第１電気接続構造体は、前記回路保護部品が前記収容部材に収容されることによって、前記第１導電部材の前記電気接続部と前記第１電気接続部とを電気的に接続されるように構成し、
前記第２電気接続構造体は、前記回路保護部品が前記収容部材に収容されることによって、前記第２導電部材の前記電気接続部と前記第２電気接続部とを電気的に接続させるように構成することを特徴とした請求項１に記載の導電モジュール。
【請求項３】
前記第１導電部材と前記収容部材とを連結させる連結構造と、
前記接続対象となる前記電池セルを複数の前記電池セルの配列方向で挟み込む絶縁部材の内の少なくとも一方を取付対象とし、その取付対象となる前記絶縁部材に対して前記収容部材を取り付ける取付構造と、
を設けることを特徴とした請求項１又は２に記載の導電モジュール。
【請求項４】
配列された複数の電池セルと、
前記電池セルと前記電池セルの電池状態を監視する電池監視ユニットの演算処理装置との間を電気的に接続させる複数の導電モジュールと、
を備え、
前記導電モジュールは、
複数の前記電池セルの内の少なくとも１つを接続対象とし、その接続対象となる前記電池セルが有する２つの電極端子の内の一方に対して電気的に接続される第１導電部材と、
前記演算処理装置を前記第１導電部材に対して電気的に接続させる第２導電部材と、
前記第１導電部材の電気接続部に対して電気的に接続される第１電気接続部、前記第２導電部材の電気接続部に対して電気的に接続される第２電気接続部、及び、前記第１電気接続部と前記第２電気接続部との間に配置された可溶体を有する回路保護部材と、
前記第１導電部材と前記回路保護部材との間で前記第１導電部材の前記電気接続部と前記第１電気接続部とを電気的に接続させる第１電気接続構造体と、
前記第２導電部材と前記回路保護部材との間で前記第２導電部材の前記電気接続部と前記第２電気接続部とを電気的に接続させる第２電気接続構造体と、
前記回路保護部材並びに前記第１及び第２の電気接続構造体を収容する収容部材と、
を備え、
前記第１導電部材と前記第２導電部材と前記収容部材は、複数の前記電池セルの配列方向に沿い、かつ、複数の前記電池セルから成る集合体の壁面に沿う平面を基準平面とし、それぞれを前記基準平面に沿って並ばせ、かつ、それぞれの短手方向を前記基準平面に直交させるように配置することを特徴とした電池パック。
【発明の詳細な説明】
【技術分野】
【０００１】
本発明は、導電モジュール及び電池パックに関する。
【背景技術】
【０００２】
従来、電気自動車やハイブリッド車等の車両には、複数の電池セルを備えた電池パックが搭載されており、その電池セルの電池状態を監視するための電池監視ユニットが設けられている。そして、その監視に際しては、電池状態に関わる信号を電池監視ユニットの演算処理装置に送るべく、電池セル側と電池監視ユニット側とを電気的に接続させる導電モジュールが用いられる。その導電モジュールは、電池セルの電極端子側に対して電気的に接続される第１導電部材と、電池監視ユニット側に対して電気的に接続される第２導電部材と、第１導電部材と第２導電部材との間に介在させた可溶体を有する回路保護部材と、を備えている。例えば、下記の特許文献１及び２には、隣り合う電池セルの電極端子間を繋ぐ第１導電部材としてのバスバと、第２導電部材としての電線と、回路保護部材が内包されたヒューズユニットと、を備えたものが開示されている。
【先行技術文献】
【特許文献】
【０００３】
【特許文献１】特開２０１５−２０７３９３号公報
【特許文献２】特開２０１６−１１５６１６号公報
【発明の概要】
【発明が解決しようとする課題】
【０００４】
ところで、電池パックにおいては、複数の電池セルが集合体として配列されており、複数の電池セルの電池状態を監視するべく、その配列方向に沿って導電モジュールが複数設けられる。従来は、それぞれの導電モジュールを一纏めにして電池モジュール（複数の電池セルの集合体）に取り付けておくための合成樹脂製のケースが設けられている。このため、従来の電池パックにおいては、ケースを介在させた分だけ体格の小型化が難しくなる。また、上記特許文献１及び２の電池パックでは、電池モジュールに取り付けた複数のバスバの上にケースを配置しており、バスバとケースとヒューズユニットが電池モジュールに積層されるので、この点からも体格の小型化が難しい。
【０００５】
そこで、本発明は、電池パックの体格の小型化が可能な導電モジュールと、この導電モジュールが設けられた電池パックと、を提供することを、その目的とする。
【課題を解決するための手段】
【０００６】
上記目的を達成する為、本発明に係る導電モジュールは、配列された複数の電池セルの内の少なくとも１つを接続対象とし、その接続対象となる前記電池セルが有する２つの電極端子の内の１つに対して電気的に接続される第１導電部材と、前記電池セルの電池状態を監視する電池監視ユニットの演算処理装置を前記第１導電部材に対して電気的に接続させる第２導電部材と、前記第１導電部材の電気接続部に対して電気的に接続される第１電気接続部、前記第２導電部材の電気接続部に対して電気的に接続される第２電気接続部、及び、前記第１電気接続部と前記第２電気接続部との間に配置された可溶体を有する回路保護部材と、前記第１導電部材と前記回路保護部材との間で前記第１導電部材の前記電気接続部と前記第１電気接続部とを電気的に接続させる第１電気接続構造体と、前記第２導電部材と前記回路保護部材との間で前記第２導電部材の前記電気接続部と前記第２電気接続部とを電気的に接続させる第２電気接続構造体と、前記回路保護部材並びに前記第１及び第２の電気接続構造体を収容する収容部材と、を備える。そして、前記第１導電部材と前記第２導電部材と前記収容部材は、複数の前記電池セルの配列方向に沿い、かつ、複数の前記電池セルから成る集合体の壁面に沿う平面を基準平面とし、それぞれを前記基準平面に沿って並ばせ、かつ、それぞれの短手方向を前記基準平面に直交させるように配置することを特徴としている。
【０００７】
ここで、前記回路保護部材は、前記第１電気接続部と前記第２電気接続部とが各々露出された状態で絶縁性の内包部材に前記可溶体を内包させた回路保護部品として設けられ、前記収容部材は、前記回路保護部品が前記基準平面に沿って挿入されているように形成し、前記第１電気接続構造体は、前記回路保護部品が前記収容部材に収容されることによって、前記第１導電部材の前記電気接続部と前記第１電気接続部とを電気的に接続されるように構成し、前記第２電気接続構造体は、前記回路保護部品が前記収容部材に収容されることによって、前記第２導電部材の前記電気接続部と前記第２電気接続部とを電気的に接続させるように構成することが望ましい。
【０００８】
また、前記第１導電部材と前記収容部材とを連結させる連結構造と、前記接続対象となる前記電池セルを複数の前記電池セルの配列方向で挟み込む絶縁部材の内の少なくとも一方を取付対象とし、その取付対象となる前記絶縁部材に対して前記収容部材を取り付ける取付構造と、を設けることが望ましい。
【０００９】
また、上記目的を達成する為、本発明に係る電池パックは、配列された複数の電池セルと、前記電池セルと前記電池セルの電池状態を監視する電池監視ユニットの演算処理装置との間を電気的に接続させる複数の導電モジュールと、を備える。前記導電モジュールは、複数の前記電池セルの内の少なくとも１つを接続対象とし、その接続対象となる前記電池セルが有する２つの電極端子の内の一方に対して電気的に接続される第１導電部材と、前記演算処理装置を前記第１導電部材に対して電気的に接続させる第２導電部材と、前記第１導電部材の電気接続部に対して電気的に接続される第１電気接続部、前記第２導電部材の電気接続部に対して電気的に接続される第２電気接続部、及び、前記第１電気接続部と前記第２電気接続部との間に配置された可溶体を有する回路保護部材と、前記第１導電部材と前記回路保護部材との間で前記第１導電部材の前記電気接続部と前記第１電気接続部とを電気的に接続させる第１電気接続構造体と、前記第２導電部材と前記回路保護部材との間で前記第２導電部材の前記電気接続部と前記第２電気接続部とを電気的に接続させる第２電気接続構造体と、前記回路保護部材並びに前記第１及び第２の電気接続構造体を収容する収容部材と、を備える。そして、前記第１導電部材と前記第２導電部材と前記収容部材は、複数の前記電池セルの配列方向に沿い、かつ、複数の前記電池セルから成る集合体の壁面に沿う平面を基準平面とし、それぞれを前記基準平面に沿って並ばせ、かつ、それぞれの短手方向を前記基準平面に直交させるように配置することを特徴としている。
【発明の効果】
【００１０】
本発明に係る導電モジュールは、回路保護部材と第１電気接続構造体と第２電気接続構造体とが収容部材に収容されており、その収容部材と第１導電部材と第２導電部材とを基準平面に沿って並ばせ、かつ、それぞれの短手方向を基準平面に直交させるように配置している。このため、この導電モジュールは、配列された複数の電池セルの集合体に取り付けた際の低背化が可能になり、電池パックの体格の小型化を図ることができる。また、本発明に係る電池パックは、そのような導電モジュール３０を備えているので、体格の小型化が可能になる。
【図面の簡単な説明】
【００１１】
【図１】図１は、実施形態の導電モジュール及び電池パックを示す斜視図である。
【図２】図２は、実施形態の導電モジュール及び電池パックを示す平面図である。
【図３】図３は、導電モジュール及びバスバの組付け前の状態を示す分解斜視図である。
【図４】図４は、電池セルと絶縁部材の組付け前の状態を示す分解斜視図である。
【図５】図５は、実施形態の導電モジュールを示す斜視図である。
【図６】図６は、実施形態の導電モジュールを示す平面図である。
【図７】図７は、実施形態の導電モジュールを回路保護部品側から見た側面図である。
【図８】図８は、実施形態の導電モジュールを第１導電部材側から見た側面図である。
【図９】図９は、導電モジュールの分解斜視図である。
【図１０】図１０は、収容部材の斜視図である。
【図１１】図１１は、収容部材を別角度から見た斜視図である。
【図１２】図１２は、電池側係合体の斜視図である。
【図１３】図１３は、電池側係合体の平面図である。
【図１４】図１４は、取付構造における係合状態を示す斜視図である。
【図１５】図１５は、変形例の導電モジュールを示す斜視図である。
【図１６】図１６は、変形例の導電モジュールを示す平面図である。
【図１７】図１７は、変形例の導電モジュールを回路保護部品側から見た側面図である。
【図１８】図１８は、変形例の導電モジュールを第１導電部材側から見た側面図である。
【図１９】図１９は、変形例の導電モジュールの分解斜視図である。
【図２０】図２０は、図１６のＸ−Ｘ線断面図である。
【図２１】図２１は、図１６のＹ−Ｙ線断面の部分拡大図である。
【発明を実施するための形態】
【００１２】
以下に、本発明に係る導電モジュール及び電池パックの実施形態を図面に基づいて詳細に説明する。尚、この実施形態によりこの発明が限定されるものではない。
【００１３】
［実施形態］
本発明に係る導電モジュール及び電池パックの実施形態の１つを図１から図１４に基づいて説明する。
【００１４】
図１から図３の符号１は、本実施形態の電池パックを示す。符号１０は、その電池パック１の電池モジュールを示す。符号２０は、その電池モジュール１０を成すべく配列された複数の電池セル１１の保持構造体を示す。符号３０は、その電池セル１１の電池状態を監視する電池監視ユニット２００（図２）に対して電池セル１１を電気的に接続させる導電モジュールを示す。電池パック１は、電気自動車やハイブリッド車等の車両に搭載されるものであり、電池モジュール１０と保持構造体２０と導電モジュール３０とを備える。
【００１５】
電池モジュール１０を成す電池セル１１は、セル本体１２と、２つの電極端子１３と、を備える（図４）。それぞれの電極端子１３は、外方に露出させた状態でセル本体１２の何れかの場所に各々設けたものであって、一方が正極となり、他方が負極となる。それぞれの電極端子１３は、例えば、セル本体１２の外壁面に設けた板状のものであったり、セル本体１２の外壁面から突出させた柱状の極柱であったりする。電池セル１１は、セル本体１２が複数の外壁面を有する場合、それぞれの電極端子１３が１つの外壁面に配置されていてもよく、電極端子１３が配置される外壁面を電極端子１３毎に分けてもよい。この電池モジュール１０においては、それぞれの電池セル１１の何れか一方の電極端子１３を一列に並べ、かつ、他方の電極端子１３も一列に並べた状態で、それぞれの電池セル１１を連ねて配列している。このため、この電池モジュール１０では、一列に並べられた電極端子１３から成る電極端子群１４が２箇所に設けられている（図１及び図２）。電池モジュール１０としては、例えば、それぞれの電極端子群１４において、正極と負極の電極端子１３が交互に配置される場合もあれば、同極のものが並べて配置される場合もある。
【００１６】
この電池モジュール１０においては、それぞれの電極端子群１４毎に、電池セル１１の配列方向で隣り合う２つの電極端子１３が導電性のバスバ１５で連結されている（図１及び図２）。バスバ１５は、金属等の導電性材料で成形し、その隣り合う２つの電極端子１３の組み合わせ毎に設ける。このため、それぞれのバスバ１５は、その組み合わせ毎に２つの電極端子１３を物理的且つ電気的に接続させる。バスバ１５は、金属等の導電性材料で成形する。この例示のバスバ１５は、バスバ本体１５ａが矩形の平板状に形成されている（図３及び図５から図９）。例えば、電極端子１３が板状の場合には、この電極端子１３に対して、バスバ１５が溶接（レーザ溶接等）で物理的且つ電気的に接続される。一方、電極端子１３が極柱の場合には、それぞれの電極端子１３が挿通される貫通孔をバスバ本体１５ａに形成し、このバスバ１５を電極端子１３に対してネジ止め等で固定することによって、その相互間を物理的且つ電気的に接続させる。尚、この電池モジュール１０においては、そのバスバ１５で連結されない電極端子１３が２つ存在しており、その内の一方が所謂総正極となり、その内の他方が所謂総負極となる。
【００１７】
例えば、本実施形態の電池セル１１は、セル本体１２が方体を成している。このため、本実施形態の電池モジュール１０は、それぞれの電池セル１１によって仮想的に方体を成しており、複数の電池セル１１の配列方向に沿い且つ複数の電池セル１１から成る集合体の６つの壁面を有している。また、本実施形態の電池セル１１は、そのセル本体１２の１つの外壁面（第１外壁面１２ａ）にそれぞれの電極端子１３を極柱として設けている（図４）。ここでは、その第１外壁面１２ａにおける長手方向の両端部側にスタッドボルトを各々垂設し、そのそれぞれのスタッドボルトを各々電極端子１３として利用する。このため、本実施形態の電池モジュール１０は、方体を成す６つの壁面の内の１つに２つの電極端子群１４が設けられている。以下においては、その２つの電極端子群１４が設けられた壁面に沿う平面を基準平面とする。その基準平面は、それぞれの電極端子１３の延在方向に対する直交平面であり、これ故に、電池モジュール１０に導電モジュール３０を取り付ける際の取付方向に対する直交平面でもある。電池モジュール１０は、例えば、その電極端子群１４が設けられている壁面を車両の上方に向けて搭載される。
【００１８】
この電池モジュール１０においては、隣り合う２つの電極端子１３の組み合わせ毎にバスバ１５が用意されている。そのバスバ１５は、その２つの電極端子１３としてのスタッドボルトをバスバ本体１５ａの２つの貫通孔１５ｂ（図３、図５、図６及び図９）に各々挿通させ、その電極端子１３の雄ネジ部に雌ネジ部材１６（図１から図３）を締め付けていくことによって、それぞれの電極端子１３に対して物理的且つ電気的に接続する。尚、図中の電池モジュール１０は、配列された複数の電池セル１１の内の一部を抜粋したものである。このため、ここでは、隣り合う２つの電極端子１３の組み合わせの内の一方のみしか図示されていない場合、その電極端子１３に取り付けられるバスバ１５の図示を省略している。
【００１９】
この電池モジュール１０においては、それぞれの電池セル１１について、集合体としての状態が保持構造体２０によって保たれている。その保持構造体２０は、複数の電池セル１１の配列方向で電池セル１１を個別に挟み込む複数の絶縁部材２０Ａを備える（図１及び図４）。その絶縁部材２０Ａは、電池セル１１を保持するものであると共に、この電池セル１１に対しての電気的な絶縁を図るものでもある。この絶縁部材２０Ａは、主として隣り合う電池セル１１の間を絶縁させるものであり、所謂セパレータと称されるものである。それぞれの電池セル１１は、各々２つの絶縁部材２０Ａに挟み込まれた状態で保持されている。ここでは、電池セル１１の配列方向に沿って、電池セル１１と絶縁部材２０Ａとが交互に配置されている。
【００２０】
絶縁部材２０Ａは、合成樹脂等の絶縁性材料で成形する。例えば、この絶縁部材２０Ａは、電池セル１１の主壁面（隣り合う電池セル１１の間で対向する壁面等のように主だった大きさを有する壁面）を覆う略矩形の平板状の主板２１を有している（図４）。その主板２１は、隣り合う２つの電池セル１１で挟み込まれる。
【００２１】
更に、この例示の絶縁部材２０Ａは、電池セル１１と絶縁部材２０Ａとを交互に積層した際に、自らの主板２１を挟み込んでいる２つの電池セル１１を保持することができるように成形する。例えば、この絶縁部材２０Ａには、セル本体１２の６つの外壁面の内、主板２１と対向する２つの外壁面以外の４つの外壁面（第１から第４の外壁面１２ａ−１２ｄ）を係止することによって、その電池セル１１を保持させる。この絶縁部材２０Ａには、セル本体１２の第１外壁面１２ａを係止することが可能な第１係止体２２と、セル本体１２の第２外壁面１２ｂを係止することが可能な第２係止体２３と、セル本体１２の第３外壁面１２ｃを係止することが可能な第３係止体２４と、セル本体１２の第４外壁面１２ｄを係止することが可能な第４係止体２５と、が設けられている（図４）。電池セル１１は、その第１から第４の係止体２２−２５によって、電池セル１１の配列方向に対する交差方向への相対的な動きが係止される。
【００２２】
具体的に、この例示の絶縁部材２０Ａとしては、後述する電池側係合体７２を有するもの（絶縁部材２０Ａ１）と、その電池側係合体７２を有しないもの（絶縁部材２０Ａ２）と、が用意されている（図１から図４）。そして、この保持構造体２０においては、電池セル１１の配列方向に沿って、その絶縁部材２０Ａ１と絶縁部材２０Ａ２とを交互に配置している。
【００２３】
この保持構造体２０においては、それぞれの電池セル１１が複数の絶縁部材２０Ａで一纏めにされており、その状態を保つべく、それぞれの電池セル１１を保持部材としての拘束部材（図示略）で外側から保持する。例えば、その拘束部材は、それぞれの電池セル１１の配列方向における両端の絶縁部材２０Ａを挟み込むコの字体に成形されたものであり、２箇所に配置される。この拘束部材は、金属材料等で成形し、そのコの字の内方に電池セル１１と絶縁部材２０Ａの集合体を圧入させる。
【００２４】
導電モジュール３０は、電池セル１１と電池監視ユニット２００の演算処理装置２０１（図２）とを電気的に接続させるものである。電池パック１においては、電池モジュール１０（複数の電池セル１１から成る集合体）に対して、それぞれの電池セル１１の配列方向に沿って導電モジュール３０を複数配列する。それぞれの導電モジュール３０は、例えば、２つの電極端子群１４の内の少なくとも一方に並べて配置する。この例示では、一方の電極端子群１４に複数の導電モジュール３０を配列している。この導電モジュール３０は、第１導電部材３１と、第２導電部材３２と、回路保護部材３３（又は回路保護部品４０）と、収容部材３４と、を備える（図５から図９）。この導電モジュール３０においては、第１導電部材３１と第２導電部材３２との間に回路保護部材３３を介在させ、これら３者を互いに電気的に接続させている。更に、この導電モジュール３０は、第１電気接続構造体５０と、第２電気接続構造体６０と、を備える（図９）。導電モジュール３０は、これら第１導電部材３１、第２導電部材３２、回路保護部材３３（又は回路保護部品４０）、収容部材３４、第１電気接続構造体５０及び第２電気接続構造体６０を１つのモジュールとして備えるものである。以下に、この導電モジュール３０を成すそれぞれの構成についての説明を行う。
【００２５】
第１導電部材３１は、それぞれの電池セル１１の内の少なくとも１つを接続対象とし、その接続対象となる電池セル１１が有する２つの電極端子１３の内の一方に対して電気的に接続させる導電性の部材である。この第１導電部材３１は、その電極端子１３に対して直接的又は間接的に取り付けることで電気的に接続させる。例えば、電極端子１３に対して直接取り付ける第１導電部材３１としては、先に示したバスバ１５を用いることができる。この場合、第１導電部材３１は、先に示したように、電池セル１１の配列方向で隣り合う２つの電極端子１３に対して物理的且つ電気的に接続される。一方、第１導電部材３１は、そのバスバ１５に対して物理的且つ電気的に接続される導電体であってもよく、この場合、電池セル１１の配列方向で隣り合う２つの電極端子１３に対してバスバ１５を介して間接的に電気的に接続される。この第１導電部材３１とバスバ１５との間は、例えば、嵌合構造、溶接やネジ止め等を用いて接続される。また、第１導電部材３１は、１つの電極端子１３に対して物理的且つ電気的に接続される導電体であってもよく、この場合、例えば、１つの貫通孔を有する平板状に成形し、その貫通孔に電極端子１３を挿通させた上でネジ止めして、電極端子１３に直接取り付ける。また、第１導電部材３１は、電極端子１３と同電位の同電位部（例えば、電極端子１３に繋がっている導電性の部材等）に対して物理的且つ電気的に接続される導電体であってもよく、この場合、その１つの電極端子１３に対して同電位部を介して間接的に電気的に接続される。この第１導電部材３１と同電位部との間は、例えば、嵌合構造、溶接やネジ止め等を用いて接続される。
【００２６】
この例示では、バスバ１５を第１導電部材３１として用いている。このため、バスバ１５については、この導電モジュール３０の構成の１つとして利用されるものをバスバ１５Ａと称する。そのバスバ１５Ａは、第１導電部材３１として利用するべく、回路保護部材３３側へと電気的に接続させるための電気接続部１５ｃを有している（図６及び図９）。その電気接続部１５ｃについては、後で詳述する。
【００２７】
第２導電部材３２は、電池監視ユニット２００の演算処理装置２０１を第１導電部材３１に対して電気的に接続させる導電体を有するものである。第１導電部材３１と演算処理装置２０１は、この第２導電部材３２や回路保護部材３３を介して電気的に接続される。この第２導電部材３２は、導電モジュール３０が電池モジュール１０に取り付けられた際に、それぞれの電池セル１１の配列方向に延在させる。例えば、この第２導電部材３２は、その電池モジュール１０への取り付けの後、それぞれの電池セル１１の配列方向に延在させる導電体としての導電部３２ａを備えている（図９）。その導電部３２ａは、回路保護部材３３側へと電気的に接続させるための電気接続部３２ａ１を有している。更に、この第２導電部材３２には、導電部３２ａを覆う電気絶縁性の絶縁部３２ｂが設けられている。その絶縁部３２ｂは、導電部３２ａにおいて、電気接続部３２ａ１を少なくとも除いた部分を覆っている。この例示の第２導電部材３２としては、導電部３２ａとしての芯線を絶縁部３２ｂとしての被覆で覆った電線を用いる。この第２導電部材３２においては、端末の被覆が剥ぎ取られて剥き出しになった芯線部分を電気接続部３２ａ１として利用する。
【００２８】
回路保護部材３３は、第１導電部材３１と第２導電部材３２との間を直列接続させることで回路を保護するものである。この回路保護部材３３は、第１導電部材３１の電気接続部１５ｃに対して電気的に接続される第１電気接続部３３ａ、第２導電部材３２の電気接続部３２ａ１に対して電気的に接続される第２電気接続部３３ｂ、及び、その第１電気接続部３３ａと第２電気接続部３３ｂとの間に配置された可溶体（図示略）を有する導電部材である（図９）。回路保護部材３３は、金属等の導電性材料で成形する。
【００２９】
この例示の回路保護部材３３は、第１電気接続部３３ａと第２電気接続部３３ｂとが各々露出された状態で絶縁性の内包部材４１に可溶体を内包させた回路保護部品４０として設けられている（図９）。例えば、回路保護部材３３は、第１電気接続部３３ａと第２電気接続部３３ｂと可溶体とを同一平面上に配置した板ヒューズ状に成形される。この板ヒューズ状の回路保護部材３３においては、第１電気接続部３３ａと第２電気接続部３３ｂとが所謂雄タブ状に形成されている。内包部材４１は、合成樹脂等の絶縁性材料で成形する。この例示の内包部材４１は、略方体状に成形されている。例えば、回路保護部品４０は、回路保護部材３３と内包部材４１とを各々個別に成形し、これらを互いに組み付けることで成るヒューズユニットであってもよく、金型内に配置した回路保護部材３３に対して内包部材４１を一体成形させたヒューズユニットであってもよい。また、回路保護部品４０は、所謂アキシャルリード型のヒューズであってもよい。この例示の回路保護部材３３は、板ヒューズ状の回路保護部材３３を有するヒューズユニットとして構成しており、第１電気接続部３３ａと第２電気接続部３３ｂとを同一方向に向けて突出させている。
【００３０】
導電モジュール３０は、第１導電部材３１と回路保護部材３３との間を電気的に接続させる第１電気接続構造体５０を備える。第１電気接続構造体５０は、その間で第１導電部材３１の電気接続部１５ｃと回路保護部材３３の第１電気接続部３３ａとを電気的に接続させるものであり、その電気接続部１５ｃと第１電気接続部３３ａとを直接的又は間接的に接続させることによって、第１導電部材３１と回路保護部材３３との間を電気的に接続させる。例えば、電気接続部１５ｃと第１電気接続部３３ａは、溶接や半田付け等で相互間を直に連結させることによって、互いを電気的に接続させることができる。この場合には、その連結部分が第１電気接続構造体５０となる。また、電気接続部１５ｃと第１電気接続部３３ａは、接続端子（以下、「第１接続端子」という。）５１を介して相互間を間接的に連結させることによって、互いを電気的に接続させることができる。この場合には、その第１接続端子５１を第１電気接続構造体５０が備えることになる。この例示では、後者を適用している（図９）。
【００３１】
第１接続端子５１は、金属等の導電性材料で成形する。例えば、この例示の第１接続端子５１は、第１導電部材３１の電気接続部１５ｃに対して物理的且つ電気的に接続させる電気接続部（以下、「第１連結部」という。）５１ａと、回路保護部材３３の第１電気接続部３３ａに対して物理的且つ電気的に接続させる電気接続部（以下、「第２連結部」という。）５１ｂと、を有している。
【００３２】
第１連結部５１ａについて説明する。この例示の第１導電部材３１（バスバ１５Ａ）においては、バスバ本体１５ａから電気接続部１５ｃを突出させている。その電気接続部１５ｃは、バスバ本体１５ａと同一平面上で電池セル１１の配列方向に延在させた軸状のものであり、バスバ本体１５ａの１つの辺部（ここでは、長辺）からオフセットさせた位置に配置している。第１連結部５１ａは、そのような形状及び配置の電気接続部１５ｃに対して物理的且つ電気的に接続させる。例えば、第１連結部５１ａは、互いに向かい合わせたバレル片を少なくとも１組有しており、それぞれのバレル片で電気接続部１５ｃを外方から包み込むように加締めて、電気接続部１５ｃに圧着させることによって、この電気接続部１５ｃに対して物理的且つ電気的に接続させる。
【００３３】
続いて、第２連結部５１ｂについて説明する。この例示の回路保護部材３３においては、先に示したように、第１電気接続部３３ａを雄タブ状に形成している。第２連結部５１ｂは、そのような雄端子として形成された第１電気接続部３３ａに対して物理的且つ電気的に接続させる。この例示の第２連結部５１ｂは、その第１電気接続部３３ａの挿抜が可能な雌端子として形成されており、第１電気接続部３３ａが挿入及び嵌合されることによって、この第１電気接続部３３ａに対して物理的且つ電気的に接続させる。
【００３４】
第１接続端子５１は、先に示した基準平面と平行な平面上（例えば、バスバ本体１５ａと同一平面上）で、第１導電部材３１の電気接続部１５ｃに対する物理的な接続と、回路保護部材３３の第１電気接続部３３ａに対する物理的な接続と、が行われるように形成する。この例示の第１接続端子５１は、第２連結部５１ｂに対する第１電気接続部３３ａの挿抜方向が電気接続部１５ｃの軸線方向に沿うように、第１連結部５１ａと第２連結部５１ｂとを配置している。
【００３５】
また、導電モジュール３０は、第２導電部材３２と回路保護部材３３との間を電気的に接続させる第２電気接続構造体６０を備える。第２電気接続構造体６０は、その間で第２導電部材３２の電気接続部３２ａ１と回路保護部材３３の第２電気接続部３３ｂとを電気的に接続させるものであり、その電気接続部３２ａ１と第２電気接続部３３ｂとを直接的又は間接的に接続させることによって、第２導電部材３２と回路保護部材３３との間を電気的に接続させる。例えば、電気接続部３２ａ１と第２電気接続部３３ｂは、溶接や半田付け等で相互間を直に連結させることによって、互いを電気的に接続させることができる。この場合には、その連結部分が第２電気接続構造体６０となる。また、電気接続部３２ａ１と第２電気接続部３３ｂは、接続端子（以下、「第２接続端子」という。）６１を介して相互間を間接的に連結させることによって、互いを電気的に接続させることができる。この場合には、その第２接続端子６１を第２電気接続構造体６０が備えることになる。この例示では、後者を適用している（図９）。
【００３６】
第２接続端子６１は、金属等の導電性材料で成形する。例えば、この例示の第２接続端子６１は、第２導電部材３２の電気接続部３２ａ１に対して物理的且つ電気的に接続させる電気接続部（以下、「第１端子接続部」という。）６１ａと、回路保護部材３３の第２電気接続部３３ｂに対して物理的且つ電気的に接続させる電気接続部（以下、「第２端子接続部」という。）６１ｂと、を有している。
【００３７】
第１連結部６１ａについて説明する。この例示の第２導電部材３２（電線）においては、先に示したように、端末の剥き出しの芯線部分が電気接続部３２ａ１となる。第１連結部６１ａは、その電気接続部３２ａ１に対して物理的且つ電気的に接続させる。例えば、第１連結部６１ａは、互いに向かい合わせたバレル片を少なくとも１組有しており、それぞれのバレル片で第２導電部材３２の端末を外方から包み込むように加締めて、この端末に圧着させることによって、この端末の電気接続部３２ａ１に対して物理的且つ電気的に接続させる。
【００３８】
続いて、第２連結部６１ｂについて説明する。この例示の回路保護部材３３においては、先に示したように、第２電気接続部３３ｂについても雄タブ状に形成している。第２連結部６１ｂは、そのような雄端子として形成された第２電気接続部３３ｂに対して物理的且つ電気的に接続させる。この例示の第２連結部６１ｂは、その第２電気接続部３３ｂの挿抜が可能な雌端子として形成されており、第２電気接続部３３ｂが挿入及び嵌合されることによって、この第２電気接続部３３ｂに対して物理的且つ電気的に接続させる。
【００３９】
第２接続端子６１は、第１接続端子５１と同じように、基準平面と平行な平面上（例えば、バスバ本体１５ａと同一平面上）で、第２導電部材３２の電気接続部３２ａ１に対する物理的な接続と、回路保護部材３３の第２電気接続部３３ｂに対する物理的な接続と、が行われるように形成する。この例示の第２接続端子６１は、第２連結部６１ｂに対する第２電気接続部３３ｂの挿抜方向が第２導電部材３２の端末の軸線方向に沿うように、第１連結部６１ａと第２連結部６１ｂとを配置している。
【００４０】
この例示の第１電気接続構造体５０と第２電気接続構造体６０においては、基準平面と平行な同一平面上に第１接続端子５１と第２接続端子６１とを配置している。つまり、第１接続端子５１と第２接続端子６１は、導電モジュール３０が電池モジュール１０に取り付けられた際に、基準平面に沿って同一平面上で並べられ、かつ、各々の長手方向が電池セル１１の配列方向に沿うように配置されている。
【００４１】
収容部材３４は、回路保護部材３３と第１電気接続構造体５０と第２電気接続構造体６０とを収容する部材であり、これらを収容状態で直接的又は間接的に保持する。この収容部材３４は、合成樹脂等の絶縁性材料で成形する。この例示では、その主体３４ａを方体状に成形している（図５から図１１）。この例示の収容部材３４は、導電モジュール３０が電池モジュール１０に取り付けられた際に、主体３４ａの６つの外壁面の内の２つが基準平面と平行になり、かつ、その内の４つが基準平面と交差（ここでは、直交）するように配置する。更に、この収容部材３４は、導電モジュール３０が電池モジュール１０に取り付けられた際に、その基準平面と交差する４つの外壁面の内の互いに対向する２つが電池セル１１の配列方向と直交するように配置する。
【００４２】
収容部材３４には、回路保護部材３３を収容する収容室（以下、「保護体収容室」という。）３４ｂ（図１０）と、第１電気接続構造体５０を収容する収容室（以下、「第１接続体収容室」という。）３４ｃ（図１１）と、第２電気接続構造体６０を収容する収容室（以下、「第２接続体収容室」という。）３４ｄ（図１１）と、が形成されている。
【００４３】
本実施形態の収容部材３４においては、導電モジュール３０が電池モジュール１０に取り付けられた際に、板ヒューズ状の回路保護部材３３の平面が基準平面と平行になるように保護体収容室３４ｂを形成する。例えば、この例示の保護体収容室３４ｂは、回路保護部品４０を直接収容し且つ保持するものとして形成し、板ヒューズ状の回路保護部材３３が内包部材４１を介して間接的に収容され且つ保持されるようにしている。このため、収容部材３４においては、回路保護部品４０が基準平面に沿って挿入されているように保護体収容室３４ｂを形成する。
【００４４】
具体的に、収容部材３４においては、導電モジュール３０が電池モジュール１０に取り付けられた際に基準平面と交差する主体３４ａの４つの外壁面の内の１つに開口３４ｂ１を設け（図５から図７、図９及び図１０）、この開口３４ｂ１から回路保護部品４０を保護体収容室３４ｂに向けて挿入させる。回路保護部品４０は、回路保護部材３３の第１及び第２の電気接続部３３ａ，３３ｂ側から挿入する。先に示したように、この例示の導電モジュール３０においては、第１接続端子５１と第２接続端子６１のそれぞれの長手方向が電池セル１１の配列方向に沿うように配置されており、その配列方向に沿って回路保護部品４０が挿入されている。このため、開口３４ｂ１は、その配列方向と直交する主体３４ａの２つの外壁面の内の一方（電線としての第２導電部材３２の後述する引き出し方向とは逆側の外壁面）に設ける。
【００４５】
第１接続体収容室３４ｃと第２接続体収容室３４ｄは、電池セル１１の配列方向と直交する主体３４ａの２つの外壁面の内の他方に、それぞれの開口３４ｃ１，３４ｄ１を設けている（図１１）。この第１接続体収容室３４ｃと第２接続体収容室３４ｄは、各々が保護体収容室３４ｂに連通しており、この保護体収容室３４ｂと共に、基準平面に沿う同一平面上に並べて配置されている。このため、第１接続体収容室３４ｃと第２接続体収容室３４ｄには、回路保護部品４０が保護体収容室３４ｂへと収容された際に、回路保護部材３３の第１電気接続部３３ａと第２電気接続部３３ｂが各々挿入される。
【００４６】
この例示の収容部材３４においては、第１電気接続構造体５０の第１接続端子５１と第２電気接続構造体６０の第２接続端子６１とが基準平面に沿って各々同じ向きで挿入されているように、第１接続体収容室３４ｃと第２接続体収容室３４ｄとを形成する。
【００４７】
例えば、この導電モジュール３０においては、予め、第１導電部材３１の電気接続部１５ｃに第１接続端子５１の第１連結部５１ａを圧着させておくと共に、第２導電部材３２の電気接続部３２ａ１に第２接続端子６１の第１連結部６１ａを圧着させておく。そして、第１接続体収容室３４ｃには、第１接続端子５１を第１導電部材３１の電気接続部１５ｃと共に開口３４ｃ１から挿入する。第１接続端子５１は、第２連結部５１ｂ側から挿入する。また、第２接続体収容室３４ｄには、第２接続端子６１を第２導電部材３２の電気接続部３２ａ１と共に開口３４ｄ１から挿入する。第２接続端子６１は、第２連結部６１ｂ側から挿入する。これらに伴い、第１接続体収容室３４ｃと第２接続体収容室３４ｄにおいては、回路保護部品４０が保護体収容室３４ｂへと収容されることによって、回路保護部材３３の第１電気接続部３３ａが第１接続端子５１の第２連結部５１ｂに嵌合されると共に、回路保護部材３３の第２電気接続部３３ｂが第２接続端子６１の第２連結部６１ｂに嵌合される。このように、この例示の第１電気接続構造体５０は、回路保護部品４０が収容部材３４の保護体収容室３４ｂに収容されることによって、第１導電部材３１の電気接続部１５ｃと回路保護部材３３の第１電気接続部３３ａとが電気的に接続されるように構成している。また、この例示の第２電気接続構造体６０は、回路保護部品４０が収容部材３４の保護体収容室３４ｂに収容されることによって、第２導電部材３２の電気接続部３２ａ１と回路保護部材３３の第２電気接続部３３ｂとが電気的に接続されるように構成している。
【００４８】
ここで、第１導電部材３１の電気接続部１５ｃは、開口３４ｃ１から自らの軸線方向に沿って僅かに突出させている。従って、第１導電部材３１のバスバ本体１５ａと収容部材３４は、収容部材３４に対する第１接続端子５１の挿入方向や回路保護部品４０の挿抜方向に対して直交方向で且つ基準平面に沿うように並べて配置される。また、電線としての第２導電部材３２は、収容部材３４に対する第２接続端子６１の挿入方向とは逆向き（回路保護部品４０の挿入方向）に開口３４ｄ１から引き出されている。
【００４９】
ところで、保護体収容室３４ｂは、回路保護部材３３を直接収容し且つ保持するものとして形成することができる。また、第１接続体収容室３４ｃと第２接続体収容室３４ｄは、第１電気接続構造体５０と第２電気接続構造体６０と各々直接収容し且つ保持するものとして形成することができる。そして、この場合、収容部材３４は、回路保護部材３３と第１電気接続構造体５０と第２電気接続構造体６０とに対して一体成形されたものとして形成することができる。例えば、この場合には、第１導電部材３１と回路保護部材３３とを第１電気接続構造体５０によって連結させると共に、第２導電部材３２と回路保護部材３３とを第２電気接続構造体６０によって連結させ、その回路保護部材３３と第１電気接続構造体５０と第２電気接続構造体６０とを金型内に配置して収容部材３４を一体成形することによって、先の例示と同等の形状や配置の導電モジュール３０を形成することができる。
【００５０】
本実施形態の導電モジュール３０は、以上示した第１導電部材３１と第２導電部材３２と回路保護部材３３（回路保護部品４０）と収容部材３４と第１電気接続構造体５０と第２電気接続構造体６０とを設け、これらを上記の如く配置している。このため、本実施形態の第１導電部材３１と第２導電部材３２と収容部材３４は、それぞれを基準平面に沿って並ばせ、かつ、それぞれの短手方向を基準平面に直交させるように配置することができる。より詳しく述べるならば、本実施形態の導電モジュール３０は、回路保護部材３３（回路保護部品４０）と第１電気接続構造体５０と第２電気接続構造体６０とが収容部材３４に収容されており、その収容部材３４と第１導電部材３１と電線としての第２導電部材３２における少なくとも収容部材３４から引き出されている部分とを基準平面に沿って並ばせ、かつ、それぞれの短手方向を基準平面に直交させるように配置することができる。つまり、本実施形態の導電モジュール３０は、換言するならば、上述したように第１導電部材３１と第２導電部材３２と収容部材３４とを形成及び配置することによって、その収容部材３４に収容される回路保護部材３３（回路保護部品４０）と第１電気接続構造体５０と第２電気接続構造体６０とについても、それぞれを基準平面に沿って並ばせ、かつ、それぞれの短手方向を基準平面に直交させるように配置することができる。従って、この導電モジュール３０は、電池モジュール１０に取り付けた際の低背化が可能になり、電池パック１の体格の小型化を図ることができる。
【００５１】
ここで、本実施形態の導電モジュール３０は、第１導電部材３１を介して電池モジュール１０に取り付けられている。このため、この導電モジュール３０では、その取付点に対して収容部材３４が離れた位置に配置されている。そこで、本実施形態の導電モジュール３０は、収容部材３４にも電池モジュール１０に対する取付点を設ける。例えば、この導電モジュール３０の接続対象となる電池セル１１は、電池セル１１の配列方向で２つの絶縁部材２０Ａによって挟み込まれている。そして、この例示の導電モジュール３０においては、その接続対象となる隣り合う２つの電池セル１１に対して、バスバ１５Ａとしての第１導電部材３１と共に収容部材３４が積層されている。従って、本実施形態の導電モジュール３０には、接続対象となる電池セル１１を挟み込む絶縁部材２０Ａの内の少なくとも一方を取付対象とし、その取付対象となる絶縁部材２０Ａに対して収容部材３４を取り付ける取付構造７０を設ける（図１から図３）。この例示では、電池セル１１を挟み込む２つの絶縁部材２０Ａの内の一方を収容部材３４の取付対象とする。ここでは、収容部材３４の取付対象となる絶縁部材２０Ａを絶縁部材２０Ａ１と称し、収容部材３４の取付対象とならない絶縁部材２０Ａを絶縁部材２０Ａ２と称する。
【００５２】
取付構造７０は、収容部材３４に設けた係合体（以下、「導電体側係合体」という。）７１（図５から図１１）と、絶縁部材２０Ａ１に設けた係合体（以下、「電池側係合体」という。）７２（図４、図１２及び図１３）と、を有する。この取付構造７０は、導電体側係合体７１と電池側係合体７２とを互いに係合させることによって、収容部材３４と絶縁部材２０Ａ１とを固定させるものである。つまり、導電体側係合体７１とは、絶縁部材２０Ａ１の電池側係合体７２との間で係合することで収容部材３４を絶縁部材２０Ａ１に取り付けるもののことである。
【００５３】
例えば、導電体側係合体７１と電池側係合体７２は、その内の一方を突出体として形成し、その内の他方を、その突出体を係止させることで収容部材３４と絶縁部材２０Ａ１との間の離脱方向への相対移動を抑える係止体として形成する。つまり、この例示の取付構造７０は、ロック機構として構成している。ここでは、導電体側係合体７１を突出体として形成し、電池側係合体７２を係止体として形成している。
【００５４】
この例示の導電体側係合体７１は、主体３４ａの開口３４ｂ１側の外壁面から電池セル１１の配列方向に向けて突出させた突出体であり、収容部材３４の電池モジュール１０への取付方向に対する逆側に被係止面７１ａを有している（図１０及び図１１）。尚、その収容部材３４の取付方向は、基準平面に対する直交方向に沿うものである。一方、電池側係合体７２は、絶縁部材２０Ａ１の主板２１における１つの辺部（第１係止体２２が配置されている辺部）の端面から基準平面に対する直交方向に向けて突出させた係止体である。この例示の電池側係合体７２は、コの字状に形成されたものであり、その主板２１の辺部から互いに間隔を空けて突出させた２本の脚部７２ａと、この２本の脚部７２ａの突出方向側の端部を繋ぐ連結部７２ｂと、を有している（図１２及び図１３）。この電池側係合体７２は、２本の脚部７２ａに可撓性を持たせ、連結部７２ｂを被係止面７１ａの係止部として利用する。
【００５５】
この例示の取付構造７０においては、収容部材３４の電池モジュール１０への取り付けが進むに連れて、導電体側係合体７１が電池側係合体７２の連結部７２ｂに当接し、この導電体側係合体７１が電池側係合体７２を撓ませながら、電池側係合体７２の連結部７２ｂが導電体側係合体７１を乗り越える。ここでは、その乗り越えを容易にするべく、導電体側係合体７１に傾斜面７１ｂを設けている（図１０及び図１１）。この例示の傾斜面７１ｂは、電池側係合体７２を撓ませながら連結部７２ｂを被係止面７１ａまで案内する平面であり、その撓みを徐々に大きくしていくように形成している。取付構造７０においては、その電池側係合体７２の連結部７２ｂの乗り越えに伴い、導電体側係合体７１が電池側係合体７２のコの字の内方に入り込み、導電体側係合体７１と電池側係合体７２の連結部７２ｂとが基準平面に対する直交方向で互いに向かい合う（図１４）。従って、収容部材３４においては、絶縁部材２０Ａ１との間での離脱方向への相対移動が抑制されるので、その取付構造７０の設置されている部分が電池モジュール１０に対する取付点となる。
【００５６】
このように、本実施形態の導電モジュール３０は、第１導電部材３１と収容部材３４の２箇所で電池モジュール１０に取り付けることができる。このため、この導電モジュール３０は、従来のような別部材のケースを介在させなくても、例えば外部入力に対する強度を確保しつつ、電池モジュール１０への取り付けを完結させることができる。従って、この導電モジュール３０は、電池パック１の体格の小型化を図ることができる。特に、この例示の導電モジュール３０は、先に示したように低背化が図られているので、電池パック１の体格の更なる小型化が可能になる。
【００５７】
以上示したように、本実施形態の導電モジュール３０は、電池パック１の体格の小型化に寄与するものである。よって、電池パック１は、本実施形態の導電モジュール３０を適用することで、体格の小型化が可能になる。
【００５８】
ところで、電池セル１１は、その使用に伴う発熱によって熱収縮し、自らの体格を変化させる。このため、先の具体例で示した導電モジュール３０においては、電池セル１１を挟み込む絶縁部材２０Ａの内の一方（絶縁部材２０Ａ１）に対して収容部材３４を取り付けるように、取付構造７０を設けている。つまり、この導電モジュール３０においては、電池セル１１が熱収縮した際に、その体格の変化に合わせて収容部材３４を追従しながら動かすことができる。従って、この導電モジュール３０の取付構造７０においては、電池セル１１が熱収縮した際にも、導電体側係合体７１と電池側係合体７２との係合状態を保ち続けることができ、また、導電体側係合体７１と電池側係合体７２との間への過大な負荷の入力を軽減させることができる。よって、この導電モジュール３０は、その機能の低下を抑えることができると共に、自らと電池モジュール１０の耐久性を向上させることができる。
【００５９】
［変形例］
本変形例は、前述した実施形態の導電モジュール３０を以下の導電モジュール１３０に置き換えたものである。
【００６０】
実施形態の導電モジュール３０においては、収容部材３４に収容及び保持された第１接続端子５１を介して、第１導電部材３１と収容部材３４とが連結されている。つまり、実施形態の導電モジュール３０において、第１導電部材３１と収容部材３４は、その第１接続端子５１を介した１箇所の連結構造でのみ繋がれている。このため、本変形例の導電モジュール１３０は、連結構造を複数箇所に設けることによって、外部入力等に伴い作用する負荷を分散させ、耐久性を向上させる。本変形例の導電モジュール１３０は、実施形態の導電モジュール３０において、第１導電部材３１と収容部材３４とを以下の第１導電部材１３１と収容部材１３４とに置き換え、その第１導電部材１３１と収容部材１３４とを連結させる連結構造１８０を設けている（図１５から図２１）。
【００６１】
第１導電部材１３１は、実施形態の第１導電部材３１と同様に、隣り合う２つの電極端子１３を物理的且つ電気的に接続させるバスバ１５Ｂである。この第１導電部材１３１は、実施形態の第１導電部材３１と同様の形状及び配置で形成されたバスバ本体１５ａと２つの貫通孔１５ｂと電気接続部１５ｃとを有している。
【００６２】
収容部材１３４は、実施形態の収容部材３４と同様の形状に形成された主体３４ａを有するものであり、その主体３４ａに、実施形態の収容部材３４と同様の形状及び配置で保護体収容室３４ｂと第１接続体収容室３４ｃ（図示略）と第２接続体収容室３４ｄ（図示略）と導電体側係合体７１とが形成されている。このため、この収容部材１３４には、回路保護部品４０と第１接続端子５１と第２接続端子６１とが収容及び保持される（図１９）。従って、本変形例の導電モジュール１３０においては、実施形態の導電モジュール３０と同じように、その第１接続端子５１を介した１箇所の連結構造で第１導電部材１３１と収容部材１３４とが間接的に連結されている。
【００６３】
本変形例の導電モジュール１３０は、その連結構造とは別に連結構造１８０を設けている。連結構造１８０は、第１導電部材１３１と収容部材１３４とを直接連結させるものであり、その第１導電部材１３１と収容部材１３４との間に設ける。この連結構造１８０は、第１導電部材１３１に設けた第１連結係合体１８１と、収容部材１３４に設けた第２連結係合体１８２と、を備える（図１５から図２１）。この例示の連結構造１８０は、バスバ本体１５ａにおける電気接続部１５ｃ側の辺部を収容部材１３４側で挟持させることによって、第１導電部材１３１と収容部材１３４とを連結させる。第１導電部材１３１においては、そのバスバ本体１５ａの辺部を第１連結係合体１８１として利用する（図１９）。一方、収容部材１３４においては、主体３４ａに第２連結係合体１８２を設ける。
【００６４】
具体的に、この連結構造１８０は、第１接続端子５１と共に第１導電部材１３１の電気接続部１５ｃを第１接続体収容室３４ｃに挿入していったときに、その第１連結係合体１８１としてのバスバ本体１５ａの辺部を第２連結係合体１８２で挟持させる。このために、第２連結係合体１８２は、主体３４ａにおいて、バスバ本体１５ａが配置される側の外壁面からバスバ本体１５ａに向けて突出させる。この例示の第２連結係合体１８２は、基準平面に対する直交方向で互いに間隔を空けて配置した第１及び第２の片部１８２ａ，１８２ｂを有する（図１７から図２１）。
【００６５】
第１片部１８２ａと第２片部１８２ｂは、それぞれに基準平面に沿う平面を有するものであり、バスバ本体１５ａが配置される側の主体３４ａの外壁面からバスバ本体１５ａに向けて各々突出させている。この第１片部１８２ａと第２片部１８２ｂは、収容部材１３４に取り付けられたバスバ本体１５ａの辺部（第１連結係合体１８１）を間に挿入させるものであり、その挿入が可能になる位置まで突出させる。また、この第１片部１８２ａと第２片部１８２ｂは、その挿入が可能となるように、基準平面に対する直交方向における互いの間隔をバスバ本体１５ａの板厚よりも広げておく。これにより、バスバ本体１５ａの辺部（第１連結係合体１８１）は、電気接続部１５ｃの第１接続体収容室３４ｃへの挿入と共に、第１片部１８２ａと第２片部１８２ｂとの間に挿入されていく。この例示の第１片部１８２ａと第２片部１８２ｂは、バスバ本体１５ａの辺部（第１連結係合体１８１）の略全体を覆うことができるように、第１導電部材１３１の収容部材１３４に対する取付方向に沿って延在させている。
【００６６】
この第１片部１８２ａと第２片部１８２ｂには、挿入されたバスバ本体１５ａの辺部（第１連結係合体１８１）を挟持するべく、その辺部に向けて突出させた挟持部１８２ｃ，１８２ｄが各々設けられている（図２０）。それぞれの挟持部１８２ｃ，１８２ｄは、基準平面に対する直交方向で、かつ、互いに向かい合うように突出させたものであり、その直交方向における互いの間隔がバスバ本体１５ａの板厚と同等の大きさとなるように形成する。例えば、この例示の挟持部１８２ｃ，１８２ｄは、第１導電部材１３１の収容部材３４に対する取付方向に沿って延在させた突出体であり、その延在方向に対する直交断面が突出方向側を頂点とする弧状断面となるように形成している。それぞれの挟持部１８２ｃ，１８２ｄは、第１片部１８２ａと第２片部１８２ｂとの間にバスバ本体１５ａの辺部（第１連結係合体１８１）が挿入されていくにつれて、その辺部を徐々に挟持していく。
【００６７】
この連結構造１８０においては、その挟持部１８２ｃ，１８２ｄの組み合わせを少なくとも１組設ければよい。ここでは、そのバスバ本体１５ａの辺部（第１連結係合体１８１）の挿入方向に対する直交方向の内、基準平面に沿う方向で、互いに間隔を空けて２組設けている。
【００６８】
この連結構造１８０には、第１導電部材１３１の収容部材１３４への収容が完了したときに、その収容状態を保持する保持機構１８３が設けられている（図１６及び図２１）。その保持機構１８３は、第１導電部材１３１と収容部材１３４との間に設ける。この例示では、バスバ本体１５ａの辺部（第１連結係合体１８１）に貫通孔１８３ａを設けると共に（図１９及び図２１）、その貫通孔１８３ａに挿入される爪部１８３ｂを第２連結係合体１８２に設ける（図２１）。
【００６９】
この例示の貫通孔１８３ａは、矩形に形成している。この貫通孔１８３ａは、バスバ本体１５ａの辺部（第１連結係合体１８１）において、電気接続部１５ｃの自由端側寄り（つまり、その辺部における第１片部１８２ａと第２片部１８２ｂとの間への挿入方向側の端部）に配置する。
【００７０】
この例示の爪部１８３ｂは、第１片部１８２ａに、第１導電部材１３１の収容部材１３４への収容が完了したときの貫通孔１８３ａの位置に合わせて配置する。例えば、第１片部１８２ａには、バスバ本体１５ａの辺部（第１連結係合体１８１）における第１片部１８２ａと第２片部１８２ｂとの間への挿入方向に沿い、かつ、その挿入方向に対する直交方向の内の基準平面に沿う方向で互いに間隔を空けて配置された２つの切欠きが形成されており、その２つの切欠きに挟まれた可撓片部１８２ａ１を設けている（図１５、図１６及び図１９）。その可撓片部１８２ａ１は、可撓性を有するものであり、第１片部１８２ａにおいて、第１及び第２の接続体収容室３４ｃ，３４ｄの開口３４ｃ１，３４ｄ１側に自由端が配置されるように形成されている。爪部１８３ｂは、その可撓片部１８２ａ１の自由端から突出させ、第１片部１８２ａと第２片部１８２ｂとの間に配置する。
【００７１】
ここで、爪部１８３ｂには、第１片部１８２ａと第２片部１８２ｂとの間に挿入されてきたバスバ本体１５ａの辺部（第１連結係合体１８１）における端部が当接する。この爪部１８３ｂは、そのバスバ本体１５ａの辺部によって可撓片部１８２ａ１ごと押動され、このバスバ本体１５ａの辺部の平面上に乗り上げる。このため、爪部１８３ｂには、当接後におけるバスバ本体１５ａからの押動力を可撓片部１８２ａ１の撓み方向への力に変換するための傾斜面１８３ｂ１を設けている（図２１）。
【００７２】
この連結構造１８０においては、電気接続部１５ｃの第１接続体収容室３４ｃへの挿入と共に、バスバ本体１５ａの辺部（第１連結係合体１８１）がそれぞれの挟持部１８２ｃ，１８２ｄで挟持されながら、第１片部１８２ａと第２片部１８２ｂとの間に挿入されていく。そして、この連結構造１８０においては、その挿入の進行と共に、バスバ本体１５ａの辺部における端部が爪部１８３ｂの傾斜面１８３ｂ１に当接する。この連結構造１８０では、その挿入が更に進むことで、バスバ本体１５ａの辺部が爪部１８３ｂを押し上げて、この爪部１８３ｂがバスバ本体１５ａの辺部の平面上に乗り上げる。その爪部１８３ｂは、バスバ本体１５ａの辺部の平面上を摺動しながら、可撓片部１８２ａ１の撓みの解消と共に貫通孔１８３ａに入り込む。このように、第１導電部材１３１と収容部材１３４は、この連結構造１８０によっても連結されるので、その間の剛性を高めることができる。そして、本変形例の導電モジュール１３０は、その連結構造１８０の配置されている箇所と、第１接続端子５１を介した連結構造の配置されている箇所と、で外部入力等に伴い作用する負荷を分散させることができる。従って、この導電モジュール１３０は、実施形態の導電モジュール３０と同様の効果が得られると共に、負荷の分散に伴う耐久性（耐振動性能）の向上が可能になる。
【符号の説明】
【００７３】
１  電池パック
１０  電池モジュール
１１  電池セル
１３  電極端子
１５，１５Ａ，１５Ｂ  バスバ
１５ｃ  電気接続部
２０Ａ，２０Ａ１，２０Ａ２  絶縁部材
３０，１３０  導電モジュール
３１，１３１  第１導電部材
３２  第２導電部材
３２ａ１  電気接続部
３３  回路保護部材
３３ａ  第１電気接続部
３３ｂ  第２電気接続部
３４，１３４  収容部材
３４ｂ  保護体収容室
３４ｃ  第１接続体収容室
３４ｄ  第２接続体収容室
４０  回路保護部品
４１  内包部材
５０  第１電気接続構造体
６０  第２電気接続構造体
７０  取付構造
７１  導電体側係合体
７２  電池側係合体
１８０  連結構造
２００  電池監視ユニット
２０１  演算処理装置
【図１】
2018081877.tif 000003
【図２】
2018081877.tif 000004
【図３】
2018081877.tif 000005
【図４】
2018081877.tif 000006
【図５】
2018081877.tif 000007
【図６】
2018081877.tif 000008
【図７】
2018081877.tif 000009
【図８】
2018081877.tif 000010
【図９】
2018081877.tif 000011
【図１０】
2018081877.tif 000012
【図１１】
2018081877.tif 000013
【図１２】
2018081877.tif 000014
【図１３】
2018081877.tif 000015
【図１４】
2018081877.tif 000016
【図１５】
2018081877.tif 000017
【図１６】
2018081877.tif 000018
【図１７】
2018081877.tif 000019
【図１８】
2018081877.tif 000020
【図１９】
2018081877.tif 000021
【図２０】
2018081877.tif 000022
【図２１】
2018081877.tif 000023